(57)【要約】【課題】最長パターンに高周波の波形歪みがあっても、該波形歪みを無視するように再生するようにして、規定の最短パターンや同期信号を確実に検出できるようにする。【解決手段】イコライザ９６は、特定周波数帯域のゲインを上げるゲイン強調部１１０と、記録テスト領域４２の再生期間において、該記録テスト領域４２に記録されている最長パターン３０ｂの再生波形１０４に含まれる歪量に応じて、ゲインの上限値を決定するゲイン上限設定部１１２とを有する。そして、光ディスクの再生波形の最大振幅をＡ、最長パターンの再生波形に含まれる歪成分の振幅をＤ、イコライザ９６の現在のゲインをｇとしたとき、（ｇ×Ｄ）／Ａを計算し、これを歪量とする。歪量が０．１となるゲインを上限値としてレジスタ１１４に登録する。【選択図】図７
2007172689.tif 000002
【特許請求の範囲】
【請求項１】
記録層に対するレーザ光の照射によって情報の記録及び／又は再生が可能な光情報記録媒体において、
前記記録層は、ユーザの情報が記録される情報記録領域と、少なくとも前記レーザ光の出力を調整するために使用される記録テスト領域とを有し、
前記記録テスト領域に、少なくとも最長の記録パターンが記録されていることを特徴とする光情報記録媒体。
【請求項２】
請求項１記載の光情報記録媒体において、
前記記録テスト領域に記録された情報は、前記最長の記録パターンの再生波形に含まれる歪量に応じて、前記光情報記録媒体の再生波形に対する強調処理のレベルを決定するために使用されることを特徴とする光情報記録媒体。
【請求項３】
請求項２記載の光情報記録媒体において、
前記強調処理は、前記再生波形のうち、特定周波数領域に含まれる再生波形のゲインを上げる信号処理であって、
前記強調処理のレベルは、前記再生波形のゲインであることを特徴とする光情報記録媒体。
【請求項４】
請求項３記載の光情報記録媒体において、
前記歪量は、前記光情報記録媒体の再生波形の最大振幅をＡ、前記最長の記録パターンの再生波形に含まれる歪成分の振幅をＤ、前記ゲインをｇとしたとき、（ｇ×Ｄ）／Ａであり、
前記強調処理は、前記歪量が０．１となるゲインを上限値として、前記情報記録領域の再生波形に対するゲインを設定することを特徴とする光情報記録媒体。
【請求項５】
記録層に対するレーザ光の照射によって情報の記録及び／又は再生が可能な光情報記録媒体に対して情報の再生を行う情報再生方法において、
前記光情報記録媒体は、ユーザの情報が記録される情報記録領域と、少なくとも前記レーザ光の出力を調整するために使用される記録テスト領域とを有し、
前記記録テスト領域に記録された最長の記録パターンの再生波形に含まれる歪量に応じて、前記光情報記録媒体の再生波形に対する強調処理のレベルを決定して情報を再生することを特徴とする情報再生方法。
【請求項６】
請求項５記載の情報再生方法において、
前記強調処理は、前記光情報記録媒体の再生波形のうち、特定周波数領域に含まれる再生波形のゲインを上げる信号処理であって、
前記強調処理のレベルは、前記再生波形のゲインであることを特徴とする情報再生方法。
【請求項７】
請求項６記載の情報再生方法において、
前記歪量は、前記光情報記録媒体の再生波形の最大振幅をＡ、前記最長の記録パターンの再生波形に含まれる歪成分の振幅をＤ、前記ゲインをｇとしたとき、（ｇ×Ｄ）／Ａであり、
前記強調処理は、前記歪量が０．１となるゲインを上限値として、前記情報記録領域の再生波形に対するゲインを設定することを特徴とする情報再生方法。
【請求項８】
記録層に対するレーザ光の照射によって情報の記録及び／又は再生が可能な光情報記録媒体に対して情報の再生を行う情報再生装置において、
前記光情報記録媒体は、ユーザの情報が記録される情報記録領域と、少なくとも前記レーザ光の出力を調整するために使用される記録テスト領域とを有し、
前記記録テスト領域に記録された最長の記録パターンを再生する手段と、
前記最長の記録パターンの再生波形に含まれる歪量を検出する手段と、
検出された前記歪量に応じて、前記光情報記録媒体の再生波形に対する強調処理のレベルを決定する手段とを有することを特徴とする情報再生装置。
【請求項９】
請求項８記載の情報再生装置において、
前記強調処理は、前記光情報記録媒体の再生波形のうち、特定周波数領域に含まれる再生波形のゲインを上げる信号処理であって、
前記強調処理のレベルは、前記再生波形のゲインであることを特徴とする情報再生装置。
【請求項１０】
請求項９記載の情報再生装置において、
前記歪量は、前記光情報記録媒体の再生波形の最大振幅をＡ、前記最長の記録パターンの再生波形に含まれる歪成分の振幅をＤ、前記ゲインをｇとしたとき、（ｇ×Ｄ）／Ａであり、
前記強調処理は、前記歪量が０．１となるゲインを上限値として、前記情報記録領域の再生波形に対するゲインを設定することを特徴とする情報再生装置。
【発明の詳細な説明】
【技術分野】
【０００１】
本発明は、プリグルーブと記録層とを有し、前記記録層に対するレーザ光の照射によって情報の記録及び／又は再生が可能な光情報記録媒体、該光情報記録媒体に対して情報の再生を行う情報再生方法及び情報再生装置に関する。
【背景技術】
【０００２】
従来、記録層に対するレーザ光の照射によって情報の記録及び／又は再生が可能な光情報記録媒体（以下、光ディスクと記す）に情報を記録する際に、レーザ光の強度を最適化を行ったり、記録再生装置に、メーカーの異なる光ディスクごとに記録ストラテジーを変えるシステムを組み込むようにした技術が提案されている（例えば特許文献１）。これは、光情報記録媒体が記録装置、記録材料、環境温度やレーザ光源の波長変動等によって同一記録条件でも同一に記録できないという事実からきている。
【０００３】
一方、光ディスクからの情報の再生に関しては、再生時のイコライズゲインが規定されている。従来、例えば特許文献２には、最適イコライズゲインの情報を、予め求めた情報に基づき記録する方法が記載されており、その最適イコライズゲイン情報を求める方法は、ジッタマージンが最大となるゲイン値を求める方法を用いている。また、特許文献３には、フォーカス状態に応じて高周波成分を増幅する方法が記載されている。
【０００４】
しかし、上述のように、再生時のイコライズゲインが規定されているが、イコライズゲインによって大きくジッタが変化してしまい、規格のイコライズゲイン の範囲では安定した再生が不可能になる場合がある。
【０００５】
そこで、従来では、光ディスクから情報を再生して再生信号を得、この再生信号を波形等価して２値化する場合において、波形等価して２値化した再生信号の最短マーク長と該最短マーク長の理論値との差がほぼ０となるように波形等価ゲインを設定して情報の再生を行うようにしている（例えば特許文献４参照）。
【０００６】
【特許文献１】特開平８−２４９６６２号公報
【特許文献２】特開平９−７１７８号公報
【特許文献３】特公平７−５２５１０号公報
【特許文献４】特開２０００−３０２５９号公報
【発明の開示】
【発明が解決しようとする課題】
【０００７】
ところで、上述のような記録可能な光ディスクにおいて、記録材料、記録条件（レーザーパワー、レーザー発光パターン、記録装置、記録速度等）によって再生波形に歪みが発生することがあり、特に、長いマークの再生波形において発生する。このような波形歪みは再生信号の誤検出となり、エラーの原因となる。また、通常、データはブロック単位で記録されており、その同期信号（Ｓｙｎｃ信号）には長いマークの信号が含まれることが多い。波形歪みによって長いマークの誤検出が発生した場合、再生時において、ブロック全てが認識不良となり、データ復号の際に問題となる。
【０００８】
また、光ディスク装置において、光ピックアップの有する周波数特性を一般的にＭＴＦ（Modulation Transfer Fuction：変調伝送関数）という。このＭＴＦのゲイン特性は単調減少する（高域減衰）。そのため、一般的に、光ディスク装置において、トランスバーサルフィルタを用いたイコライザを用いてＭＴＦを補正する。
【０００９】
通常、イコライザによって高域が強調されて最短パターンの記録周波数の信号のＳ／Ｎの向上がなされるが、最短パターン以外のパターン、例えば最長パターン等の長いパターンに高周波の波形歪みがある場合には、その歪みも強調されることになる。
【００１０】
近年、高密度記録化のために再生データの復号の際に、多値判定するような技術（パーシャルレスポンス方式）が導入されているが、この方式の場合、従来のスライス検出よりも波形歪みによる誤検出が発生し易いという問題がある。
【００１１】
本発明はこのような課題を考慮してなされたものであり、最短パターン以外のパターン、例えば最長パターン等の長いパターンに高周波の波形歪みがあっても、該波形歪みを無視するように再生することができ、規定の最短パターンや同期信号を確実に検出することができ、再生の精度及びデータ復号の信頼性等を向上させることができる光情報記録媒体、情報再生方法及び情報再生装置を提供することを目的とする。
【課題を解決するための手段】
【００１２】
第１の本発明に係る光情報記録媒体は、記録層に対するレーザ光の照射によって情報の記録及び／又は再生が可能な光情報記録媒体において、前記記録層は、ユーザの情報が記録される情報記録領域と、少なくとも前記レーザ光の出力を調整するために使用される記録テスト領域とを有し、前記記録テスト領域に、少なくとも最長の記録パターンが記録されていることを特徴とする。
【００１３】
これにより、前記記録テスト領域に記録された情報は、前記最長の記録パターンの再生波形に含まれる歪量に応じて、前記光情報記録媒体の再生波形に対する強調処理のレベルを決定するために使用することができる。
【００１４】
また、第２の本発明に係る情報再生方法は、記録層に対するレーザ光の照射によって情報の記録及び／又は再生が可能な光情報記録媒体に対して情報の再生を行う情報再生方法において、前記光情報記録媒体は、ユーザの情報が記録される情報記録領域と、少なくとも前記レーザ光の出力を調整するために使用される記録テスト領域とを有し、前記記録テスト領域に記録された最長の記録パターンの再生波形に含まれる歪量に応じて、前記光情報記録媒体の再生波形に対する強調処理のレベルを決定して情報を再生することを特徴とする。
【００１５】
また、第３の本発明に係る情報再生装置は、記録層に対するレーザ光の照射によって情報の記録及び／又は再生が可能な光情報記録媒体に対して情報の再生を行う情報再生装置において、前記光情報記録媒体は、ユーザの情報が記録される情報記録領域と、少なくとも前記レーザ光の出力を調整するために使用される記録テスト領域とを有し、前記記録テスト領域に記録された最長の記録パターンを再生する手段と、前記最長の記録パターンの再生波形に含まれる歪量を検出する手段と、検出された前記歪量に応じて、前記光情報記録媒体の再生波形に対する強調処理のレベルを決定する手段とを有することを特徴とする。
【００１６】
これら第１〜第３の本発明においては、最短パターン以外のパターン、例えば最長パターン等の長いパターンに高周波の波形歪みがあっても、該波形歪みを無視するように再生することができ、規定の最短パターンや同期信号を確実に検出することができ、再生の精度及びデータ復号の信頼性等を向上させることができる。
【００１７】
そして、これら第１〜第３の発明において、前記強調処理は、前記再生波形のうち、特定周波数領域に含まれる再生波形のゲインを上げる信号処理であって、前記強調処理のレベルは、前記再生波形のゲインであってもよい。
【００１８】
また、前記歪量は、前記光情報記録媒体の再生波形の最大振幅をＡ、前記最長の記録パターンの再生波形に含まれる歪成分の振幅をＤ、前記ゲインをｇとしたとき、（ｇ×Ｄ）／Ａであり、前記強調処理は、前記歪量が０．１となるゲインを上限値として、前記情報記録領域の再生波形に対するゲインを設定するようにしてもよい。
【発明の効果】
【００１９】
以上説明したように、本発明に係る光情報記録媒体、情報再生方法及び情報再生装置によれば、最短パターン以外のパターン、例えば最長パターン等の長いパターンに高周波の波形歪みがあっても、該波形歪みを無視するように再生することができ、規定の最短パターンや同期信号を確実に検出することができ、再生の精度及びデータ復号の信頼性等を向上させることができる。
【発明を実施するための最良の形態】
【００２０】
以下、本発明に係る光情報記録媒体、情報再生方法及び情報再生装置を、例えばレーザ光を用いて情報の記録及び再生を行うことができる光情報記録媒体（光ディスク）に適用した実施の形態例を図１〜図９を参照しながら説明する。
【００２１】
本実施の形態に係る光ディスク１０は、図１に示すように、一主面にプリグルーブ１２が形成された基板１４と、該基板１４上に形成された反射層１６と、該反射層１６上に形成された情報記録層１８と、該情報記録層１８上に形成された誘電体層２０と、該誘電体層２０上に形成された保護層２２とを有する。
【００２２】
記録すべき情報に基づいて変調された記録用レーザ光２４ｗ、あるいは再生用レーザ光２４ｒを例えば保護層２２の主面から基板１４に向かって照射することによって、情報記録層１８に、前記記録すべき情報がピットとして記録されるようになっている。記録用レーザ光２４ｗ及び再生用レーザ光２４ｒとしては、例えば波長が３５０〜４５０ｎｍのレーザ光が使用される。
【００２３】
ピットの長さは、ＥＦＭ変調や８／１６変調における変調信号のクロック周期Ｔで表したとき、３Ｔ〜１１Ｔが使用され、各ピットの間にブランクが設定される。図２の例では、３Ｔ（最短パターン３０ａ）から４Ｔ、５Ｔ・・・１１Ｔ（最長パターン３０ｂ）のピット３２をそれぞれブランク３４を設定して記録した場合を示す。
【００２４】
特に、本実施の形態に係る光ディスク１０の情報記録層１８には、ユーザの情報が記録される情報記録領域４０と、少なくともレーザ光２４の出力を調整するために使用される記録テスト領域４２とを有し、この記録テスト領域４２に、少なくとも最長パターン３０ｂ（図２参照）が記録されている。この記録テスト領域４２は、本来、上述したように、レーザ光２４の出力を調整するために使用されるが、本実施の形態では、最長パターン３０ｂの再生の際に現れる波形歪を検出し、後述するイコライザのゲインを調整するために使用される。なお、情報記録領域４０は、例えば複数のブロックに区画され、各ブロックに同期信号（ｓｙｎｃ信号）とユーザの情報が記録されている。
【００２５】
一方、本実施の形態に係る記録再生装置５０は、図４に示すように、光ディスク１０が装着されるスピンドルモータ５２を有し、且つ、光ディスク１０をＣＬＶ（線速度一定）方式あるいはＣＡＶ（角速度一定）方式で回転させる回転駆動制御部５４と、光ディスク１０の一方の面（保護層２２の端面）に対向して配置されたピックアップ５６と、少なくともピックアップ５６を光ディスク１０の径方向に移動させるピックアップ移動機構５８と、これら回転駆動制御部５４、ピックアップ５６、ピックアップ移動機構５８等を制御する制御部６０とを有する。
【００２６】
回転駆動制御部５４は、制御部６０からの指令により、スピンドルモータ５２を設定された記録速度倍率で線速度一定あるいは角速度一定で回転制御する。例えば線速度一定での制御は、ピックアップ５６によって再生された再生信号のうち、プリグループのウォブル（Ｗｏｂｂｌｅ）成分を検出して、このウォブル成分の周波数が規定の周波数となるように、スピンドルモータ５２をＰＬＬ制御する。
【００２７】
ピックアップ移動機構５８は、制御部６０からの指令により、ピックアップ５６から出射されるレーザ光２４のフォーカス及びトラッキングを制御し、さらに、ピックアップ５６を光ディスク１０の径方向にフィード制御する。
【００２８】
ピックアップ５６から出射される記録用レーザ光２４ｗ及び再生用レーザ光２４ｒのフォーカス制御及びトラッキング制御は、図５に示すように、ピックアップ５６によって再生された再生信号Ｓｒのうち、プリグループの信号成分Ｓｒｐが検出回路６２にて検出されることによって行われる。すなわち、検出されたプリグループの信号成分Ｓｒｐがサーボ制御信号生成回路６４に供給、演算されてフォーカスエラー信号Ｓｆｅ及びトラッキングエラー信号Ｓｔｅが生成され、これらにフォーカスエラー信号Ｓｆｅ及びトラッキングエラー信号Ｓｔｅを打ち消すようにピックアップ５６の対物レンズ（図示せず）の焦点位置やピックアップ５６の径方向位置が制御される。
【００２９】
光ディスク１０に記録すべき情報は以下のように変調される。すなわち、入力信号Ｓｉがデジタル信号、すなわち、入力データＳｄｉの場合は、記録速度倍率に応じた速度で直接データ信号形成回路７０に入力される。入力信号Ｓｉがアナログ信号Ｓａｉの場合は、Ａ／Ｄ変換器７２を経てデジタル信号（入力データ）Ｓｄｉに変換され、記録速度倍率に応じた速度でデータ信号形成回路７０に入力される。
【００３０】
データ信号形成回路７０は、入力データＳｄｉにインタリーブをかけて、エラーチェックコードを付与し、また、ＴＯＣ生成回路７４及びサブコード生成回路７６で生成されるＴＯＣ情報Ｄｉ及びサブコード情報Ｄｓを付与し、所定の変調（ＥＦＭ変調や８／１６変調）を行って光ディスク１０の記録フォーマット及び記録速度倍率に応じた転送レートで一連のシリアルデータを形成し、記録信号Ｄｗとして出力する。
【００３１】
この記録信号Ｄｗは、ドライブインターフェイス７８を介して記録信号補正回路８０（照射制御手段）で使用ディスク種類（色素材料種類）、線速度、記録速度倍率等に応じて選択された記録ストラテジーによる変調を受けてレーザ発生回路８２に入力される。
【００３２】
レーザ発生回路８２は、記録信号Ｄｗに応じてピックアップ５６の半導体レーザを駆動して記録用レーザ光２４ｗを光ディスク１０の情報記録層１８（図１参照）に照射し、ピット３２（図２参照）を形成して記録を行う。このとき、ユーザの情報を情報記録領域４０に記録する前に、予め記録テスト領域４２に様々な記録パターンを記録して最良のレーザパワーに設定する。ここでは、少なくとも最短パターン３０ａと最長パターン３０ｂが記録される。
【００３３】
そして、レーザパワーは、記録速度倍率及び必要に応じて線速度に応じた値（つまり、定められた照射時間のもとで所定のピット長を形成するために照射すべきレーザパワー）に設定され、ＡＬＰＣ（Ａｕｔｏｍａｔｉｃ  Ｌａｓｅｒ  Ｐｏｗｅｒ  Ｃｏｎｔｒｏｌ）回路８４で、この設定されたパワーとなるように制御される。これにより、光ディスク１０には規定の記録フォーマット、転送速度及び線速度でデータが記録される。
【００３４】
以上のようにして情報が記録された光ディスク１０から情報を再生する場合は、ピックアップ５６から再生用レーザ光２４ｒ（記録用レーザ光２４ｗより小パワー）を照射することにより行われる。図７に示すように、ピックアップ５６によって再生されたデータ（再生信号Ｓｒ）は信号再生処理回路９０で復調され、そのままデジタル信号Ｓｄｒとして、あるいはＤ／Ａ変換器９２でアナログ信号Ｓａｒに変換されて出力される。
【００３５】
そして、この実施の形態に係る記録再生装置５０は、図７に示すように、信号再生処理回路９０内に、以下の回路を含む。
【００３６】
すなわち、信号再生処理回路９０は、ピックアップ５６からの再生信号Ｓｒに含まれる高域ノイズ成分を除去するローパスフィルタ（ＬＰＦ）９４と、ＬＰＦからの出力信号Ｓｒ１のうち、特定周波数帯域（最短パターン３０ａの再生信号の周波数を含む帯域）の振幅を強調し、再生信号の波形を整形するイコライザ９６と、該イコライザ９６からの信号Ｓｒ２から直流成分を除去してＲＦ信号Ｓｒ３とするハイパスフィルタ（ＨＰＦ）９８と、ＨＰＦ９８からのＲＦ信号Ｓｒ３を２値化用の所定のスライスレベルで２値化するスライスレベルコントローラ１００と、該スライスレベルコントローラ１００からの２値化信号Ｓｒ４をデコード処理して復調するデコーダ１０２とを有する。
【００３７】
そして、デコーダ１０２からの出力信号（デジタル信号Ｓｄｒ又はアナログ信号Ｓａｒ）に基づいてエラー及びジッタが検出されると共に、誤り訂正等が行われて記録信号Ｄｗの再生が行われる。
【００３８】
ところで、図８Ａ及び図８Ｂに示すように、最長パターン３０ｂの再生波形１０４には、高周波の歪成分１０６が生じる場合がある。この歪成分１０６の周波数が上述の特定周波数帯域に含まれると、イコライザ９６によってその振幅Ｄが強調され、あたかも最短パターン３０ａの再生波形１０８のように扱われるおそれがある。一般に、記録情報は、ブロック単位に同期信号と共に記録されており、この同期信号には最長パターン３０ｂが含まれていることが多い。この同期信号に含まれる最長パターン３０ｂの再生時における歪成分１０６によって、本来、最長パターン３０ｂであるはずが、最短パターン３０ａと中間レベルのパターンとして認識されてしまった場合、同期信号は検出できなくなり、そのブロック全体の記録情報が再生できなくなる。
【００３９】
そこで、本実施の形態では、イコライザ９６は以下のような機能を有するように構成している。すなわち、イコライザ９６は、上述したように、特定周波数帯域（最短パターン３０ａの再生信号の周波数を含む帯域）のゲインを上げる機能（ゲイン強調部１１０）と、記録テスト領域４２の再生期間において、該記録テスト領域４２に記録されている最長パターン３０ｂの再生波形１０４に含まれる歪量に応じて、ゲインの上限値を決定する機能（ゲイン上限設定部１１２）とを有する。これらの機能は、ハードウェアで構成してもよいし、ソフトウェアで構成してもよいし、ハードウェアとソフトウェアの混成で構成するようにしてもよい。
【００４０】
ここで、イコライザ９６の機能について説明する。ゲイン上限設定部１１２は、制御部６０からの上限設定指令Ｓｔの入力期間においてゲインの上限値設定を行う。この上限設定指令Ｓｔは以下のようにして出力される。まず、制御部６０は、再生開始信号Ｓｒｓに基づいて、記録テスト領域４２の再生を開始し、該記録テスト領域４２に記録された最長パターン３０ｂの再生を行っている期間だけ、イコライザ９６に上限設定指令Ｓｔを出力する。
【００４１】
ゲイン上限設定部１１２は、制御部６０からの上限設定指令Ｓｔを入力するたびにゲインを所定量ずつ上げると共に、以下の計算を行う。すなわち、図８Ａに示すように、光ディスク１０の再生波形の最大振幅をＡ、最長パターン３０ｂの再生波形１０４に含まれる歪成分１０６の振幅をＤ、イコライザ９６の現在のゲインをｇとしたとき、（ｇ×Ｄ）／Ａを計算し、これを歪量とする。
【００４２】
そして、歪量が０．１となるゲインを上限値として例えばレジスタ１１４に登録する。好ましくは、Ｄ／Ａが０．０１よりも小さい値であれば、歪量：（ｇ×Ｄ）／Ａが０．０１となるゲインを上限値とし、Ｄ／Ａが０．０１よりも大きい値であれば、歪量：（ｇ×Ｄ）／Ａが０．１となるゲインを上限値とする。
【００４３】
なお、イコライザ９６のゲインがフィルタ係数で決定される場合は、ゲインが徐々に大きくなるようにフィルタ係数を設定すればよい。
【００４４】
イコライザ９６のゲインの上限値が決定された時点で、ゲイン上限設定部１１２は、制御部６０に対して設定完了を示す信号Ｓｅを出力する。制御部６０は、設定完了を示す信号Ｓｅを受け取った時点で、ピックアップ５６によって再生すべきブロックを再生するように制御を行う。
【００４５】
イコライザ９６のゲイン強調部１１０は、レジスタ１１４に登録されている値を上限値として、次々に送られてくる信号Ｓｒ１のうち、特定周波数帯域の信号のゲインを上げる。このとき、ブロックと共に記録されている同期信号に含まれる最長パターン３０ｂが再生された際に、その再生波形１０４に歪成分１０６が含まれていたとしても、その歪成分は、最大でも、再生信号の最大振幅Ａの０．０１以下あるいは０．１以下となるだけである。そのため、後段のスライスレベルコントローラ１００での２値化において、前記歪成分１０６は実質的に無視され、最長パターン３０ｂは、最短パターン３０ａと中間レベルのパターンに誤検出されることがなく、確実に最長パターン３０ｂとして検出されることになり、前記同期信号と共に記録された情報は確実に再生されることとなる。
【００４６】
すなわち、本実施の形態に係る記録再生装置５０及び記録再生方法は、図９に示すように、まず、ステップＳ１において、予め記録テスト領域４２に様々な記録パターンを記録して最良のレーザパワーに設定する。従来より、最適記録パワーを導くためにランダムの記録パターンを記録するようにしているが、本実施の形態では、さらに、最適記録条件（最適記録パワー）にて最長の記録パターン（最長パターン３０ｂ）を記録するようにしている。
【００４７】
その後、ステップＳ２において、記録テスト領域４２にある最長パターン３０ｂを再生する。
【００４８】
その後、ステップＳ３において、最長パターン３０ｂの再生信号の歪量から波形等価のゲイン上限値を決定する。
【００４９】
そして、ステップＳ４において、決定したゲイン上限値を超えない範囲で従来通りの波形等価を行うようにしている。
【００５０】
このように、本実施の形態に係る光ディスク１０、記録再生装置５０及び記録再生方法においては、最短パターン３０ａ以外のパターン、例えば最長パターン３０ｂ等の長いパターンに高周波の歪成分１０６があっても、該歪成分１０６を無視するように再生することができ、規定の最短パターン３０ａや同期信号を確実に検出することができ、再生の精度及びデータ復号の信頼性等を向上させることができる。
【００５１】
なお、本発明に係る光情報記録媒体、情報再生方法及び情報再生装置は、上述の実施の形態に限らず、本発明の要旨を逸脱することなく、種々の構成を採り得ることはもちろんである。
【図面の簡単な説明】
【００５２】
【図１】本実施の形態に係る光ディスクの構成を一部省略して示す断面図である。
【図２】本実施の形態に係る記録再生装置にて記録される記録信号とそれに対応するピット形状の一例を示す説明図である。
【図３】本実施の形態に係る光ディスクの１トラックに記録されるデータ形態を示す説明図である。
【図４】本実施の形態に係る記録再生装置を概略的に示す構成図である。
【図５】本実施の形態に係る記録再生装置のサーボ制御系を概略的に示す構成図である。
【図６】本実施の形態に係る記録再生装置の情報記録系を概略的に示す構成図である。
【図７】本実施の形態に係る記録再生装置の情報再生系を概略的に示す構成図である。
【図８】図８Ａは最短パターンと最長パターンの再生波形を示す図であり、図８Ｂは最短パターンと最長パターンの配列を示す説明図である。
【図９】本実施の形態に係る記録再生装置及び記録再生方法の処理動作を示すフローチャートである。
【符号の説明】
【００５３】
１０…光ディスク                        １２…プリグルーブ
１４…基板                              １８…情報記録層
２４ｒ…再生用レーザ光                  ２４ｗ…記録用レーザ光
３０ａ…最短パターン                    ３０ｂ…最長パターン
３２…ピット                            ４０…情報記録領域
４２…記録テスト領域                    ５０…記録再生装置
５６…ピックアップ                      ６０…制御部
９６…イコライザ                        １１０…ゲイン強調部
１１２…ゲイン上限設定部                １０６…歪成分
【図１】
2007172689.tif 000003
【図２】
2007172689.tif 000004
【図３】
2007172689.tif 000005
【図４】
2007172689.tif 000006
【図５】
2007172689.tif 000007
【図６】
2007172689.tif 000008
【図７】
2007172689.tif 000009
【図８】
2007172689.tif 000010
【図９】
2007172689.tif 000011